(57)【要約】【課題】扉に前後二枚のアクリル板を設け、アクリル二重構造の扉によりキャビネットラックの遮音効果を高める。【解決手段】情報通信機器を収納するキャビネットラックの扉３において、扉フレーム１１の裏面に前面側のアクリル板４Ｆを装着する。扉フレーム１１の背面側に額縁パネル５を設け、額縁パネル５の内面に背面側のアクリル板４Ｒを装着する。前後のアクリル板４Ｆ，４Ｒの間に遮音用空洞部を形成し、この空洞部を額縁パネル５の周壁５ｂで取り囲む。【選択図】図１
2009185587.tif 000002
【特許請求の範囲】
【請求項１】
情報通信機器を収納するキャビネットラックの扉において、箱形の扉フレームを備え、扉フレームの前面および背面にアクリル板を装着し、前後のアクリル板の間に遮音用空洞部を形成し、扉フレームの周面に遮音用空洞部を取り囲む周壁を設けたことを特徴とするキャビネットラックの扉。
【請求項２】
情報通信機器を収納するラック本体の前面に扉を取り付けたキャビネットラックにおいて、扉が箱形の扉フレームを備え、扉フレームの前面および背面にアクリル板を装着し、前後のアクリル板の間に遮音用空洞部を形成し、扉フレームの周面に遮音用空洞部を取り囲む周壁を設け、周壁がラック本体の内側に収まるように、扉フレームをラック本体に取り付けたことを特徴とするキャビネットラック。
【請求項３】
情報通信機器を収納するラック本体の前面に扉を取り付けたキャビネットラックにおいて、扉が箱形の扉フレームを備え、扉フレームの前面および背面にアクリル板を装着し、前後のアクリル板の間に遮音用空洞部を形成し、扉フレームの周面に遮音用空洞部を取り囲む周壁を設け、周壁がラック本体の外側に突出するように、扉フレームをラック本体に取り付けたことを特徴とするキャビネットラック。
【発明の詳細な説明】
【技術分野】
【０００１】
本発明は、情報通信機器を収納するキャビネットラックと、その扉に関する。
【背景技術】
【０００２】
従来、情報通信機器を収納する箱型のキャビネットラックが知られている。例えば、図８に示すキャビネットラック１は、ラック本体２の前面に扉３を備えている。従来の扉３として、図９（ａ）に示すように、全体を一枚の鋼板で形成した扉３０Ａ、もしくは、図９（ｂ）に示すように、鋼板の一部を切り抜いてアクリル板３１を装着した扉３０Ｂが知られている。
【０００３】
アクリル板３１は、図１０に示すように、押え具１０とナット６とボルト７とを用いて扉３０Ｂの背面に固定されている。
【０００４】
この種のキャビネットラック１には、１９インチのサーバ機器やＬＡＮ機器等の情報通信機器を容易に出し入れする機能、複数の情報通信機器をラック本体２内に整然と収納する機能、ラック全体を軽くする機能、情報通信機器を地震や外部振動から保護する機能、情報通信機器から発生する騒音を遮断する機能等が求められている。
【０００５】
例えば、特許文献１には、ラック本体の開口部と扉との間に補強部を設け、キャビネットラックの耐震性を向上させる技術が記載されている。
【特許文献１】特開２００７−１０３８５８号公報
【発明の開示】
【発明が解決しようとする課題】
【０００６】
ところが、従来の扉３０Ａ，３０Ｂは、ラック本体２の前面を一枚の鋼板もしくはアクリル板３１で覆っているだけなので、図１１に示すように、情報通信機器のファンやモータ（騒音源）が発生した騒音のうち、ラック本体２内に戻る反射音が相対的に小さく、ラック本体２の外部に漏れる透過音が相対的に大きくなり、充分な遮音効果が得られないという問題点があった。
そこで、本発明の目的は、遮音効果の高いアクリル二重構造の扉、及びこの扉を備えたキャビネットラックを提供することにある。
【課題を解決するための手段】
【０００７】
上記の課題を解決するために、本発明の扉は、情報通信機器を収納するキャビネットラックの扉であって、箱形の扉フレームを備え、扉フレームの前面および背面にアクリル板を装着し、前後のアクリル板の間に遮音用空洞部を形成し、扉フレームの周面に遮音用空洞部を取り囲む周壁を設けたことを特徴とする。
【０００８】
また、本発明のキャビネットラックは、情報通信機器を収納するラック本体の前面に扉を取り付けたキャビネットラックであって、扉が箱形の扉フレームを備え、扉フレームの前面および背面にアクリル板を装着し、前後のアクリル板の間に遮音用空洞部を形成し、扉フレームの周面に遮音用空洞部を取り囲む周壁を設け、周壁がラック本体の内側に収まるように、扉フレームをラック本体に取り付けたことを特徴とする。
【０００９】
さらに、本発明のキャビネットラックは、情報通信機器を収納するラック本体の前面に扉を取り付けたキャビネットラックであって、扉が箱形の扉フレームを備え、扉フレームの前面および背面にアクリル板を装着し、前後のアクリル板の間に遮音用空洞部を形成し、扉フレームの周面に遮音用空洞部を取り囲む周壁を設け、周壁がラック本体の外側に突出するように、扉フレームをラック本体に取り付けたことを特徴とする。
【発明の効果】
【００１０】
本発明のキャビネットラックの扉によれば、扉フレームをアクリル二重構造とし、二枚のアクリル板の間に遮音用空洞部を形成し、遮音用空洞部の周囲を周壁で取り囲んだので、情報通信機器が発生した音を遮音用空洞部で減衰させ、さらに周壁によって音漏れを防ぎ、高い遮音効果が得られるという効果がある。また、アクリル二重構造の扉は、割れにくく、内部視認性が高いうえ、キャビネットラックに重厚感を与えることができるという効果もある。
【００１１】
本発明のキャビネットラックによれば、扉フレームの周壁をラック本体の内側に収めたので、設置面積が限られているラックにおいて、高い遮音効果が得られる。また、扉フレームの周壁をラック本体の外側に突出させることで、大型情報通信機器を収納するラックにおいて、高い遮音効果が得られる。
【発明を実施するための最良の形態】
【００１２】
以下、本発明を実施するための最良の形態を図面に基づいて説明する。図１〜図５は実施例１のキャビネットラックの扉を示し、図６は実施例２のキャビネットラックの扉を示す。図７は実施例１、実施例２、従来例のキャビネットラックを比較して示し、図８はキャビネットラックの全体的な構成を示す。各図において、同一の符号は同一又は類似する部材を示す。
【実施例１】
【００１３】
図１（ａ）は扉３をキャビネットラック１の前面側から見た斜視図であり、図１（ｂ）は扉３をラック１の背面面側から見た斜視図である。図２は扉３の水平方向の断面図である。実施例１の扉３は、情報通信機器を収納するキャビネットラック１において、ラック本体２の前面に取り付けられる（図８参照）。扉３のフレーム１１は、全体が薄箱形に形成されている。扉フレーム１１の前面と背面には、それぞれアクリル板４Ｆ，４Ｒが装着され、前後のアクリル板４Ｆ，４Ｒの間に遮音用空洞部１２（図２参照）が形成されている。扉フレーム１１の前面には取手１３が設けられ、扉フレーム１１の背面にラック本体２と係合する施錠部９が設けられている。扉フレーム１１の上端と下端には軸８が突設され、軸８によって扉フレーム１１がラック本体２に開閉可能に取り付けられる。
【００１４】
前面側のアクリル板４Ｆは、扉フレーム１１の開口部１１ａを塞いだ状態で、扉フレーム１１の背面に装着されている。背面側のアクリル板４Ｒは、四角環状の額縁パネル５に装着されている。額縁パネル５は、ラック本体２側に開く開口５ａと、扉フレーム１１の周面を形成する周壁５ｂとを備えている。アクリル板４Ｒは、開口５ａを塞いだ状態で、額縁パネル５の内面に装着されている。扉フレーム１１の背面には、上下両端部にボルト７（図５参照）が立設され、ボルト７に螺合するナット６により額縁パネル５の上下両端が扉フレーム１１に組み付けられている。そして、この組付状態で、額縁パネル５の周壁５ｂが遮音用空洞部１２を取り囲むようになっている。
【００１５】
図３〜図５は扉３の組立手順を示す。まず、図３に示すように、前面側のアクリル板４Ｆで扉フレーム１１の開口部１１ａを覆い、アクリル板４Ｆの周縁に予め付着してある両面テープ１４により、アクリル板４Ｆを扉フレーム１１の裏面に接着する。次に、図４に示すように、背面側のアクリル板４Ｒで額縁パネル５の開口５ａを覆い、アクリル板４Ｒの周縁に予め付着してある両面テープ１５により、アクリル板４Ｒを額縁パネル５の内面に接着する。続いて、図５に示すように、額縁パネル５を扉フレーム１１に組み合わせ、額縁パネル５の上下の穴１６を扉フレーム１１のボルト７に通し、ナット６をボルト７に締め付けて、額縁パネル５を扉フレーム１１に固定する。
【００１６】
なお、アクリル板４Ｆ，４Ｒを扉フレーム１１や額縁パネル５に装着する手段は、両面テープ１４，１５に限定されず、接着剤、ビス、サッシュ、または従来と同様の押え具１０（図１０参照）などを単独あるいは組み合わせて使用することも可能である。しかし、両面テープ１４，１５は、これらを予めアクリル板４Ｆ，４Ｒに付着させておくことができる点、並びに、パッキン等のシール部材を不要にできる点で、アクリル板４Ｆ，４Ｒの装着手段として好ましく採用できる。
【００１７】
上記のように構成された扉３は、扉フレーム１１の額縁パネル５をラック本体２の内側に収めた状態で（図７ａ参照）、軸８によってキャビネットラック１の前面に取り付けられる。キャビネットラック１の使用状態では、前後二枚のアクリル板４Ｆ，４Ｒが情報通信機器のファンやモータ音の障壁として機能し、遮音用空洞部１２が騒音減衰効果を発揮し、額縁パネル５の周壁５ｂが音漏れを防止する。アクリル板４Ｆ，４Ｒは、鋼板と比べて遮音効果が高くかつ軽量であり、ラック本体２の内部を透視できることから情報通信機器の動作確認が容易であり、ガラス板と比較して割れにくく、加工もしやすい。また、扉３をアクリル二重構造としたことにより、遮音効果に加え、キャビネットラック１に重厚感を与えて外観上の見栄えをよくすることもできる。
【実施例２】
【００１８】
実施例２の扉３は、図６に示すように、扉フレーム１１の前面側に額縁パネル１８が設けられている。額縁パネル１８は、扉３の前面側に開く開口１８ａと、扉フレーム１１の周面を形成する周壁１８ｂとを備えている。前面側のアクリル板４Ｆは、額縁パネル１８の開口１８ａを塞いだ状態で、額縁パネル１８の裏面に両面テープ（図示略）で接着されている。背面側のアクリル板４Ｒは、扉フレーム１１の開口部（図示略）を塞いだ状態で、扉フレーム１１の前面に押え具１０を介してナット６とボルト７により装着されている。なお、アクリル板４Ｒを両面テープで扉フレーム１１に接着してもよい。
【００１９】
額縁パネル１８は扉フレーム１１にネジや溶接等の適宜の手段（図示略）で組み付けられる。この組付状態で、前後のアクリル板４Ｆ，４Ｒが双方間に遮音用空洞部１９（図７ｂ参照）を形成し、額縁パネル１８の周壁１８ｂが遮音用空洞部１９を取り囲む。そして、扉フレーム１１が、額縁パネル１８をラック本体２の外側に突出させた状態で、軸８によりキャビネットラック１の前面に取り付けられる。したがって、実施例２の扉３によっても、実施例１と同様に、二枚のアクリル板４Ｆ，４Ｒを騒音の障壁として機能させ、遮音用空洞部１９で騒音を減衰させ、額縁パネル１８の周壁１８ｂで音漏れを防止し、キャビネットラック１の遮音性能を高めることができる。
【００２０】
ここで、実施例１、実施例２及び従来例のキャビネットラック１の使用形態を図７に基づいて比較する。図７（ａ）に示すように、実施例１のキャビネットラック１では、額縁パネル５がラック本体２の内側に収められているので、ラック本体２の収納スペースが減少する。しかし、ラック本体２の設置面積は従来のキャビネットラック１（図７ｃ参照）と同等であるため、特に、設置面積が限られているラックにおいて、高い遮音効果を発揮することができる。実施例２のキャビネットラック１では、額縁パネル１８がラック本体２の外側に突出しているので、ラック本体２の設置面積が大きくなる。しかし、ラック本体２の収納スペースが大きくなるため、特に、奥行の深い大型情報通信機器を収納するラックにおいて、高い遮音効果を発揮することができる。
【図面の簡単な説明】
【００２１】
【図１】本発明の実施例１を示すキャビネットラックの扉の斜視図である。
【図２】該扉の断面図である。
【図３】該扉の前面側のアクリル板の装着構造を示す斜視図である。
【図４】該扉の背面側のアクリル板の装着構造を示す斜視図である。
【図５】該扉の組付構造を示す斜視図である。
【図６】本発明の実施例２を示すキャビネットラックの扉の斜視図である。
【図７】本発明と従来技術とを比較したキャビネットラックの断面図である。
【図８】キャビネットラックの全体を示す斜視図である。
【図９】従来のキャビネットラックの扉を示す斜視図である。
【図１０】従来のアクリル板の装着構造を示す斜視図である。
【図１１】従来技術の問題点を示すキャビネットラックの断面図である。
【符号の説明】
【００２２】
１    キャビネットラック
２    ラック本体
３    扉
４Ｆ    前面側のアクリル板
４Ｒ    背面側のアクリル板
５    額縁パネル
５ｂ    周壁
１１    扉フレーム
１２    遮音用空洞部
１８    額縁パネル
１８ｂ    周壁
１９    遮音用空洞部
【図１】
2009185587.tif 000003
【図２】
2009185587.tif 000004
【図３】
2009185587.tif 000005
【図４】
2009185587.tif 000006
【図５】
2009185587.tif 000007
【図６】
2009185587.tif 000008
【図７】
2009185587.tif 000009
【図８】
2009185587.tif 000010
【図９】
2009185587.tif 000011
【図１０】
2009185587.tif 000012
【図１１】
2009185587.tif 000013